(57)【特許請求の範囲】
【請求項１】
互いに結合された上ケースと下ケースとからなるカートリッジケース内に、磁気テープを巻装した単一のリールが回転可能に収容され、両端にフランジ部を備えた磁気テープ引出し用リーダピンが前記磁気テープの先端部に結合され、該リーダピンがその前記フランジ部の外周面にそれぞれ弾性的に係合するバネ材からなる上下のピン係止部材によって前記上下ケース間にその軸線を上下方向に向けて着脱可能に保持されるとともに、前記リーダピンが、テープドライブ装置のピン捕捉具に捕捉されて前記カートリッジケース内から引き出され、かつ前記ピン捕捉具により前記カートリッジケース内に戻されるように構成されてなる磁気テープカートリッジにおいて、
前記上下のピン係止部材は、前記リーダピンを前記上下ケース間に保持する山形の保持部を有し、前記リーダピンが前記カートリッジケース内に戻されるときに、いずれか一方のピン係止部材の保持部が他方のピン係止部材の保持部よりも先に前記リーダピンのフランジ部に対する係合動作を開始し得るように、前記保持部の山形の角度を互いに異にすることを特徴とする磁気テープカートリッジ。
【発明の詳細な説明】
【０００１】
【発明の属する技術分野】
本発明は、磁気テープを巻装した単一のリールがカートリッジケース内に回転可能に収容され、上記磁気テープの先端部にテープ引出し用リーダピンが結合されてなる磁気テープカートリッジに関するものである。
【０００２】
【従来の技術】
従来、コンピュータ等の外部記憶装置に用いられる記録媒体として使用されている磁気テープカートリッジにおいて、磁気テープを巻装した単一のリールがカートリッジケース内に回転可能に収容されたタイプのものが知られている。この磁気テープはコンピュータ等のデータ保存用として用いられ、重要な情報が記憶されているため、テープジャミング等のトラブルが発生しないように、また不用意に磁気テープが引き出されないように構成されている。
【０００３】
また、上記磁気テープの先端には、テープ引出し用リーダピンが結合され、この磁気テープカートリッジが記録再生装置に装着されたとき、記録再生装置側のピン捕捉具がリーダピンに係合して磁気テープをカートリッジケースから引き出し、記録再生装置へのローディングを行ない、アンローディング時には、磁気テープがリールに巻かれるとともに、上記ピン捕捉具がリーダピンをカートリッジケース内に戻すように構成されている。そして、上記リーダピンは、カートリッジケースのテープ引出し用開口部に臨んでカートリッジケース内に設けられたバネ材からなるピン係止部材によって、所定位置に着脱可能に係止されるように構成されている。
【０００４】
図１９（ａ），（ｂ）は上記リーダピンの一例構成を示し、図１９（ａ）は分解斜視図、図１９（ｂ）はリーダピンと磁気テープとが結合された状態を示す断面図である。このリーダピンＰは、特開平１１−２３２８２６号に開示されているように、ピン本体５と、クランプ部材６とから構成される。上記ピン本体５は例えばステンレス鋼のような金属で形成され、一対の薄いフランジ部５ｂ，５ｂ間に画成された芯軸となるテープクランプ部５ａと、上記フランジ部５ｂ，５ｂの軸線方向外側にそれぞれ形成された細軸部５ｃ，５ｃと、細軸部５ｃ，５ｃのさらに外側にそれぞれ形成されたやや厚いフランジ部５ｄ，５ｄとから構成されている。また、上記クランプ部材６は、例えば合成樹脂で形成され、軸線方向に延びるスリット６ａを備えてＣ字状の断面形状を有し、上記ピン本体５のテープクランプ部５ａの外周に側方から弾性的に嵌着されて、テープクランプ部５ａとの間に磁気テープＴをクランプするように構成されている。
【０００５】
図２０は、特開平２０００−３６１７９号に開示されている従来の磁気テープカートリッジにおけるローディング時のテープ引出し用開口部近傍の部分を上ケースを除去して示す平面図である。なお、カートリッジケースが記録再生装置にローディングされる際には図２０の右方向に挿入されるから、図２０の右側をカートリッジケースの前面側とする。
【０００６】
この磁気テープカートリッジにおいては、上ケース（図示せず）と下ケース３とがビス等により締結されて一体にされるカートリッジケース４内に、先端にリーダピンＰを結合した磁気テープＴを巻装した単一のリール（図示せず）が回動可能に収容されている。カートリッジケース４の一側壁には、磁気テープＴを引き出すための開口部１０が形成され、この開口部１０は図示しないスプリングによって閉方向に付勢されたスライドドア（図示せず）により開閉されるように構成されている。
【０００７】
磁気テープＴの先端に結合された、図１９に示したような構成を有するリーダピンＰは、上記開口部１０から出し入れされ、この開口部１０の内方の上下壁面にはリーダピン本体５の上下端のフランジ部５ｄ，５ｄがそれぞれ挿入されるピン収納凹部４５が設けられ、このピン収納凹部４５から開口部１０に向けて直線的に広がる挿入案内部２１が形成されている。
【０００８】
上記リーダピン５を上記ピン収納凹部４５に着脱可能に係止するピン係止部材５０は、ヘヤピン状の平面形状を有する板バネからなり、ケース側壁の内面に沿って上ケースの内頂面および下ケース３の底面に立設された取付ボス４１，４１と前壁３ｂとの間に挟持されて上下ケース間に延びる平板状の取付板部５０ａと、奥側の取付ボス４１を巻くようにく湾曲した取付部５０ａの基端部５０ｄの上下端に連接されて、開口部１０に向かって延びる上下一対の弾性アーム部５０ｂ，５０ｂとから構成されている。各弾性アーム部５０ｂの先端には、リーダピン本体５のフランジ部５ｄ，５ｄの外周面にそれぞれ当接するピン保持部５０ｃが設けられている。
【０００９】
一方、カートリッジケース４の上記ピン収納凹部４５は、リーダピン本体５のフランジ部５ｄの外周面を受ける円弧状の当接面を有するが、この当接面は、ピン係止部材５０の弾性アーム部５０ｂおよびピン保持部５０ｃの設置スペースを確保するために、このピン係止部材５０側の（図２０の右側の）ケース部分が切り取られている。
【００１０】
上記ピン収納凹部４５に保持されたリーダピンＰの引き出し（ローディング）は、記録再生装置側に設けられたリーダブロックと呼ばれるピン捕捉具８０によって行なわれ、このピン捕捉具８０は、リーダピン本体５の上下の細軸部５ｃ（図１９参照）と係合する係合切欠き８０ａを一側部に有する。上記ピン捕捉具８０による係合動作は、先ず、ピン捕捉具８０がカートリッジケース４の開口部１０に向かって矢印Ａ方向に直線的に移動して、リーダピンＰに関してケース側壁３ｂ側とは反対側から開口部１０内に進入し、続いてピン捕捉具８０の先端がリーダピン５に接近するように矢印Ｂ方向（前方）に円弧状に回動して、その係合切欠き８０ａがリーダピン５の細軸部５ｃに係合して引っ掛けた後、矢印Ｃ方向に直線的に後退して、リーダピン５を開口部１０からカートリッジケース４の外部に引き出すという態様で行なわれ、これによって、記録再生装置の機構の簡素化が図られている。
【００１１】
また、この磁気テープカートリッジを記録再生装置から取り出すときには、リーダピン５を保持したピン捕捉具８０が矢印Ｃ方向とは反対方向に開口部１０に向かって直線的に前進して、リーダピン５を上記ピン収納凹部４５に収納した後、上述とは逆の経路で開口部１０から退去することになる。
【００１２】
【発明が解決しようとする課題】
ところで図１９に示すような構成を有するリーダピンＰにおいては、磁気テープＴとピン本体５およびクランプ部材６との摩擦係数が低くクランプ力が不足してリーダピンＰが磁気テープＴから外れる虞れれがあった。
【００１３】
具体的には、磁気テープＴには磁気ヘッドとの接触摺動における摩擦の低減を図るために、この磁気テープＴの磁性層への潤滑剤の添加または表面への潤滑剤の塗布等を施して摩擦係数を低下させるようにしたものが多い。また、磁気テープＴの裏面についても同様である。その場合に、磁気テープＴの種類によりステンレス鋼等で形成されたピン本体５またはクランプ部材６との摩擦係数が異なり、この摩擦係数が小さいものでは、上記クランプ部材６の嵌着による磁気テープＴのクランプ力が低くなることがある。
【００１４】
また、図２０に示す記録再生装置側のピン捕捉具８０がリーダピン５を保持してカートリッジケース４の開口部１０から引き出す際に、上述したように、ピン捕捉具８０が開口部１０からＡ方向に挿入され、次いで矢印Ｂ方向の回動動作によってリーダピンＰを引っ掛けるように係合するため、ピン捕捉具８０が矢印Ｂ方向に回動してリーダピン５に係合する際に、リーダピンＰがピン捕捉具８０に押されて移動し、リーダピンＰとの係合が確実に行えないという問題があった。
【００１５】
すなわち、上記ピン捕捉具８０によるリーダピンＰの引出し動作においてピン捕捉具８０が矢印Ｂ方向に回動してリーダピンＰと係合する際に、リーダピンＰがピン捕捉具８０との接触により、矢印Ｂ方向の力を受ける場合があり、その際に、上記ピン捕捉具８０の回動動作に対する収納凹部４５の当接面の右側部分が除去されていることにより、リーダピンＰはピン係止部材５０のバネ付勢力だけでは抗しきれずにピン収納凹部４５から外れるかあるいは傾いてしまい、ピン捕捉具８０に正常に係合することができず、ローディング動作不良が発生して使用上の信頼性を損なうという虞れがあった。
【００１６】
そこで、上記ピン収納凹部４５におけるピン捕捉具８０の回動方向の前方側にも、リーダピンＰのフランジ部５ｄを受けてリーダピンＰの係合時の移動を規制する当接部を連接することが提案された。しかしながら、その場合には、リーダピンＰを上記ピン収納凹部４５内に弾性的に係止するためのピン係止部材の設置スペースが狭まり、図２０に示すような、バネ長の長い弾性アーム部５０ｂを備えたヘヤピン形状のピン係止部材５０を取り付けることが困難になる。
【００１７】
この問題を解決するには、ピン係止部材５０をヘヤピン形状ではなく、その板状の取付け部の一端からバネ長の比較的短い弾性アーム部が開口部１０側に延びる形状を有するピン係止部材を用いればよいが、その場合、アンローディング時にリーダピンＰをピン収容凹部４５内に挿入するとき、ピン係止部材の弾性アーム部の先端の保持部がリーダピンＰによって無理に押された場合、ピン係止部材の板状取付部とバネ長の短い弾性アーム部との境界部近傍で塑性変形を生じて、弾性アーム部が原位置に復帰しなくなるという新たな問題が生じた。
【００１８】
さらに、上述の特開平１１−２３２８２６号に開示されているように、それぞれ弾性アーム部を備えて上ケースおよび下ケースにそれぞれ独立的に取り付けられる別部材のピン係止部材を有する磁気テープカートリッジも知られているが、いずれのピン係止部材の弾性アーム部も、リーダピンＰのフランジ部５ｄ，５ｄを保持するための山型のピン保持部を先端に備えており、かつ上下の弾性アーム部およびピン保持部が略同一形状に作成され、それらのバネ特性は略同一となっている。
【００１９】
したがって、リーダピンＰがドライブ装置側のピン捕捉具８０によってカートリッジケース内に戻されるときに、リーダピンＰの上下フランジ部５ｄ，５ｄが略同時に上記ピン係止部材のピン保持部に当接して略同一の弾撥力を受けるため、俗に「つっかかり」と呼ばれる現象が生じて、ピン係止部材に対するスムーズな係合動作が阻害されるという問題を生じている。
【００２２】
本発明は上述の事情に鑑みてなされたもので、リーダピンがカートリッジケース内に戻されるときの「つっかかり現象」の発生を回避して、リーダピンのピン係止部材に対するスムーズな係合動作を可能にした磁気テープカートリッジを提供することにある。
【００２８】
【課題を解決するための手段】
本発明は、互いに結合された上ケースと下ケースとからなるカートリッジケース内に、磁気テープを巻装した単一のリールが回転可能に収容され、両端にフランジ部を備えた磁気テープ引出し用リーダピンが磁気テープの先端部に結合され、このリーダピンがそのフランジ部の外周面にそれぞれ弾性的に係合するバネ材からなる上下のピン係止部材によって上下ケース間にその軸線を上下方向に向けて着脱可能に保持されるとともに、上記リーダピンが、テープドライブ装置のピン捕捉具に捕捉されてカートリッジケース内から引き出され、かつ上記ピン捕捉具によりカートリッジケース内に戻されるように構成されてなる磁気テープカートリッジにおいて、
上記上下のピン係止部材は、上記リーダピンを上記上下ケース間に保持する山形の保持部を有し、上記リーダピンがカートリッジケース内に戻されるときに、いずれか一方のピン係止部材が他方のピン係止部材よりも先にリーダピンのフランジ部に対する係合動作を開始し得るように、前記保持部の山形の角度を互いに異にすることを特徴とするものである。
【００２９】
上記互いに異なるバネ特性は、上下のピン係止部材の弾性アーム部の肉厚、形状、材質のうちの少なくとも一つを互いに異ならすことによって得られ、また、上下のピン係止部材の弾性アーム部のピン保持部の曲げ角度を互いに異ならすことによっても得られる。
【００３３】
【発明の効果】
本発明によれば、上下のピン係止部材が、リーダピンがカートリッジケース内に戻されるときにいずれか一方のピン係止部材が他方のピン係止部材よりも先にリーダピンのフランジ部に対する係合動作を開始し得るように、山形の保持部のその山形の角度を互いに異にしたので、上述の「つっかかり現象」の発生を回避してリーダピンのピン係止部材に対するスムーズな係合動作を可能にすることができる。
【００３４】
【発明の実施の形態】
以下、図面に示す実施の形態に基づいて本発明を詳細に説明する。
【００３５】
本発明による磁気テープカートリッジ１は、分解斜視図である図１に示すように、上ケース２と下ケース３とがビス等により締結されて一体にされるカートリッジケース４内に、先端にリーダピンＰを結合した磁気テープＴを巻装した単一のリール７が回動可能に収容されている。上記上下ケース２，３の一側壁２ｂ，３ｂには、磁気テープＴを引き出すための開口部１０が形成され、この開口部１０は図示しないスプリングによって閉方向に付勢されたスライドドア１１により開閉され、開口部１０近傍には上記スライドドア１１が摺動する溝状のドアレール１２（図７，図８参照）が形成されている。
【００３６】
上記上下ケース２，３は略矩形状に形成され、上壁２ａおよび下壁３ａの周囲に側壁２ｂ、３ｂが設けられ、内部にはリール７の外周に沿う円弧状の内壁３ｃ（上ケース２については図示せず）が設けられている。下ケース３は上記側壁３ｂと内壁３ｃとの間に配設された４カ所のボス部３ｄ（開口部１０近傍のボス部はスライドドア１１で隠れている）を上ケース２の不図示のボス部と当接させて、底面からビスを締め付けて重ね合わせ状態で締結される。
【００３７】
また、上記下ケース３の中心部にはドライブ装置の駆動軸によって上記リール７を回転駆動するためのセンター孔３ｅが開口し、カートリッジケース４の後端部には書き込み防止用のライトプロテクタ部材１３が摺動可能に配設される。上記リール７の中心部には、不使用状態におけるリール７の回転を拘束する回転規制機構１５が設けられている。
【００３８】
その他、図示していないが、リール７の底面には中央部にマグネット式の回転駆動手段を吸引保持させるためのリールプレートが取り付けられ、外周部には回転駆動手段のドライブギヤと噛合するリールギヤが刻設されている。なお、リールギヤとドライブギヤが噛合した状態においては上記回転規制機構１５が解除作動してリール７が回転自在とされる。
【００３９】
磁気テープカートリッジ１は、その不使用時に磁気テープＴが完全にリール７に巻き込まれた状態で、先端のリーダピンＰが開口部１０の近傍に形成されたピン収納凹部２０に係止保持される。この収納凹部２０には、図６〜図８に示すように、開口部１０に向けて誘い込み構造に形成された挿入案内部２１（ガイド面）が連設され、奥部のピン収納凹部２０に向けてリーダピンＰの端部を案内するように構成されている。そして、このリーダピンＰを上記ピン収納凹部２０に着脱可能に保持する板バネからなるピン係止部材９が設置されている。
【００４０】
リーダピンＰは、図２に示すように、ピン本体５とクランプ部材６とからなり、ピン本体５は、磁気テープＴの終端部をクランプ部材６の嵌着によりクランプする軸状のテープクランプ部５ａを中央に有し、このテープクランプ部５ａの上下端に薄い板状のフランジ部５ｂ，５ｂが形成され、さらにフランジ部５ｂ，５ｂの軸線方向外側に記録再生装置のピン捕捉具によって係合保持される細軸部５ｃ，５ｃがそれぞれ形成され、両端にはカートリッジケース４と係合するための比較的厚いフランジ部５ｄ，５ｄが形成されている。このピン本体５は例えば金属棒（ステンレス鋼等）の削り出しによって形成され、そのテープクランプ部５ａの長さは磁気テープＴの幅に対応する。
【００４１】
そして、上記ピン本体５のテープクランプ部５ａは、表面が平均表面粗さＲｚが７μｍ以下の粗面に形成されている。この粗面化により磁気テープＴとの摩擦抵抗が高まりクランプ力が向上する。上記テープクランプ部５ａの粗面化は、ローレット加工等により行われる。
【００４２】
また、クランプ部材６は樹脂成形品であり、ピン本体５のテープクランプ部５ａの長さに相当する軸方向長さを有し、その全長に亘って軸方向に延びるスリット６ａが形成されてＣ字状の断面形状を有する。上記スリット６ａの幅はテープクランプ部５ａの外径より狭く、このスリット６ａを拡げるようにクランプ部材６を変形させつつテープクランプ部５ａの外周に弾性的に嵌着し、内周面６ｂがテープクランプ部５ａの外周に圧接して磁気テープＴを挟持する。
【００４３】
そして、上記クランプ部材６の内周面６ｂも、平均表面粗さＲｚが７μｍ以下の粗面に形成されている。この粗面化により磁気テープＴとの摩擦抵抗が高まりクランプ力が向上する。上記内周面６ｂの粗面化は、成形金型のサンドブラスト等によって行われる。
【００４４】
磁気テープＴのピン本体との結合部分近傍には、図２に示すように、補強用テープＲＴを表面または裏面に貼り付けるようにしてもよい。例えば図３に示す嵌着状態においては、補強用テープＲＴの表面がテープクランプ部５ａの表面に接触し、磁気テープＴの外面がクランプ部材６の内周面６ｂと接触する。この場合には、少なくとも磁気テープＴと接触する側のクランプ部材６の内周面６ｂを上記のような粗面に形成すればよい。また、上記と反対側に補強用テープＲＴが貼付された場合には、ピン本体５のテープクランプ部５ａを上記のような粗面に形成すればよく、両方の表面を粗面としてもよい。
【００４５】
なお、ピン本体５のテープクランプ部５ａの外表面および／またはクランプ部材６の内表面６ａに形成される粗面の粗さが上記上限（平均表面粗さＲｚが７μｍ）を越えた場合、特にテープクランプ部５ａの表面またはクランプ部材６の成形用金型の表面をサンドブラスト処理で粗面化した場合、その粗面表面の微小突起の欠落が顕著となり、塵埃の原因ともなるので平均表面粗さＲｚを７μｍ以下とするものであり、好ましくは３μｍ以下程度とすることが望ましい。
【００４６】
本実施形態によれば、磁気テープＴの先端部にピン本体５をクランプ部材６の嵌着によって結合する場合に、テープクランプ部５ａの表面および／またはクランプ部材６の内周面６ｂを粗面としたことにより、ピン本体５および／またはクランプ部材６と磁気テープＴとの摩擦係数が高くなって磁気テープＴのクランプ力が増大し、リーダピンＰが外れることによる使用不能となることが防止することができる。
【００４７】
図４は、他の実施の形態を示す磁気テープとリーダピンの結合部の断面図である。この実施の形態においては、クランプ部材６′の形態が図４，５のものとは異なっている。
【００４８】
すなわち、本実施形態のクランプ部材６′は鋼製であり、板材が断面略Ｃ形に成形され、ピン本体５のテープクランプ部５ａの長さに相当する軸方向長さを有し、その全長に亘って軸方向に延びるスリット６ａ′が形成されている。このスリット６ａ′の幅はテープクランプ部５ａの外径より大きく、このスリット６ａ′を通してテープクランプ部５ａの外周に嵌着した後、上記スリット６ａ′を狭めるようにかしめて変形させ磁気テープＴを挟持するように構成されている。また、上記クランプ部材６′の内周面６ｂ′と、テープクランプ部３ａの外周に巻かれた磁気テープＴとの間にはエラストマーＥが介装されている。
【００４９】
上記エラストマーＥは、クランプ部材６′をかしめて固着する際に磁気テープＴにダメージを与えないためのものであり、天然ゴム、合成ゴムなどの顕著な弾性を持つ高分子物質を使用し、予めクランプ部材６′の内周面６ｂ′上に塗着しておく。
【００５０】
この実施の形態の場合も、ピン本体５のテープクランプ部５ａの表面は前記と同様に平均表面粗さＲｚが７μｍ以下の粗面に形成されている。この粗面化により磁気テープＴとの摩擦抵抗が高まりクランプ力が向上する。
【００５１】
上記ピン係止部材９は、図５に示すように上下一体に形成され、略矩形板状の取付部９ａが、上記上ケース２および下ケース３の重ね合わせによって、図７に示すようにケース側壁２ｂ，３ｂ（前壁）の近傍に設けられたバネ装着部２３（上ケース２については図示していないが下ケース３と対称形状である）に係合されて保持される。上記ピン係止部材９の取付部９ａには、そのリーダピンＰ側の縁部の上下両端部からリーダピンＰの方向に屈曲して延びる一対の弾性アーム部９ｂ，９ｂが延接され、図６および図７に示すように、各アーム部９ｂの先端のピン保持部９ｃがリーダピンＰのピン本体５の各フランジ部５ｄの外周に弾性的に当接するようになっている。
【００５２】
このピン保持部９ｃは、リーダピンＰ側に突出する山形に形成され、開口部１０から挿入されるリーダピンＰのフランジ部５ｄ，５ｄに対し先端側の斜面で接触して弾性アーム部９ｂ，９ｂが撓み変形し、内部側の斜面でリーダピンＰをピン収納凹部２０内に押圧保持するようになっている。また、上記取付部９ａの上下端部には係合凹部９ｄ，９ｄが設けられている。
【００５３】
上述のような構成を有するピン係止部材９を保持する上下ケース２，３のバネ装着部２３は、図７に示すように、上下ケース２，３の側壁２ｂ，３ｂ（前壁）の内面に形成された２つのリブ２３ａ，２３ａと、その中間において底面に立設された突起２３ｂとを備え、リブ２３ａ，２３ａと突起２３ｂとの間にピン係止部材９の取付部９ａが挿入されるとともに、底面の凸部２３ｃに係合凹部９ｄが嵌合して、ピン係止部材９を保持するように構成されている。また、奥部側の端部には、ピン係止部材９の取付部９ａにおけるアーム部９ｂと反対側の端部を直立状態に保持する倒れ規制部２３ｄが設けられている。
【００５４】
上記ピン収納凹部２０は、図７および図８に示すように、開口部１０の奥側に１／２円周をなす円弧面とこの円弧面の両端から互いに平行に手前側に延びる平行面とによって形成された凹部周面２０ａと、平坦な底面２０ｂとにより略Ｕ字状に形成され、凹部周面２０ａの高さ（凹部の深さ）はリーダピンＰのフランジ部５ｄの高さより低く形成されている。上記凹部周面２０ａの円弧面はリーダピンＰのフランジ部５ｄの外径に対応する内径を有し、収納されたリーダピンＰをその中心位置に保持する。また、上記凹部周面２０ａは、記録再生装置のピン捕捉具８０（図２参照）のローディング動作における矢印Ｂ方向の回動動作に伴ってリーダピンＰが図７の右方へ押された場合に、リーダピンＰのフランジ部５ｄに当接してリーダピンＰが移動するのを規制する当接部２２を有している。
【００５５】
上記ピン収納凹部２０より開口部１０側の挿入案内部２１は、ピン収納凹部２０の底面２０ｂに連続する平坦面２１ａと開口端の傾斜面２１ｂとによって構成され、両側には開口部１０に向けて幅が広がる側面２１ｃ，２１ｃが上記ピン収納部２０の凹部周面２０ａに連接して形成されている。上記側面２１ｃ，２１ｃの開口部１０の近傍にはドアレール１２が形成され、ケース前面側（図７の右側）の斜面２１ｃには上記ピン係止部材９を設置するための凹部２５が形成され、リーダピンＰのフランジ部５ｄの凹部２５に臨む週面に、弾性アーム部９ｂ前端のピン保持部９ｃが当接するようになっている。
【００５６】
そして、上記凹部２５のピン収納凹部２０側とは反対側の壁面は、図９から明らかなように、凹部２５の底面から略垂直に立ち上がって、ピン係止部材９の弾性アーム部９ｂに対して間隔Ｗを介して対向する垂直壁面３０となっており、開口部１０を通じたの挿入時に、弾性アーム部９ｂがリーダピンＰによって無理に押されても、弾性アーム部９ｂが垂直壁面３０に当接することによって、それ以上の弾性アーム部９ｂの偏位が防止されるように構成されている。上記間隔Ｗは、弾性アーム部９ｂの略弾性限界内に設定され、これにより、ピン係止部材９の板状取付部９ａと弾性アーム部９ｂ，９ｂの境界部近傍での弾性アーム部９ｂ，９ｂの塑性変形が防止される。
【００５７】
ちなみに、弾性アーム部９ｂとの対向壁面が、垂直壁面３０でなく、図１０に示すような傾斜した壁面３１である場合、リーダピンＰの押圧力によって弾性アーム部９ｂが傾斜壁面３１に沿って上方へ乗り上げ、弾性限界を超えることによって、弾性アーム部９ｂが元の位置に戻らなく虞れが生じる。
【００５８】
また、上記平坦な垂直壁面３０に代えて、例えば図１１に示すように、ピン係止部材９の弾性アーム部９ｂの先端に形成されているピン保持部９ｃに対し所定の間隔を隔てて対向する凸状部３２を設けてもよい。この凸状部３２は、リーダピンＰ側に凸に湾曲しているピン保持部９ｃに対応する形状を有して上記ピン保持部９ｃに向かって突出する。
【００５９】
以上の説明で明らかなように、本実施の形態によれば、磁気テープカートリッジ１のアンローディング時に、リーダピンＰがカートリッジケース４に挿入される際のリーダピンＰとの当接による弾性アーム部９ｂの偏位を所定の範囲内に規制する壁面３０または凸状部３２をカートリッジケース４に設けたことにより、設置スペースが狭くて済むバネ長の短い弾性アーム部９ｂ，９ｂを備えたピン係止部材９を用いた場合でも、弾性アーム部９ｂの塑性変形を防止することができるから、リーダピンＰを収容する収納凹部２０におけるピン捕捉具８０の回動方向の前方側にリーダピンＰのフランジ部５ｄを受けてリーダピンＰの係合時の移動を規制する当接部２２を形成することができ、これにより、ローディング時にピン捕捉具が回動してリーダピンを係合する際に、リーダピンＰがケース前面側に押されて収納凹部２０から外れたり傾いたりするを防止して、確実なローディング動作を行なうことができる。
【００６０】
次の図１２〜図１５は、本発明による磁気テープカートリッジの他の実施の形態におけるピン係止部材の取付け構造を示す図である。
【００６１】
すなわち、図１２は板バネからなるピン係止部材の取付け構造を示す下ケースの要部平面図、図１３は図１２のXIII−XIII線に沿った断面図、図１４は図１２のXIV−XIV線に沿った断面図、図１５は図１２のピン係止部材の斜視図である。
【００６２】
リーダピンＰは、図２に示したものと同様の構成を有し、その上下端のフランジ部５ｄ，５ｄは、開口部１０近傍の上ケース２の頂壁下面および下ケース３の底壁上面にそれぞれ形成されたピン収納凹部４５にそれぞれ挿入されるとともに、上下ケース２，３間に挟持された板バネからなるピン係止部材６０によって両フランジ部５ｄ，５ｄが着脱可能に保持される。
【００６３】
ピン係止部材６０は、図１５に示すように、平板状の取付部６０ａと、この取付部６０ａの一端に連接された半円筒状の連結部６０ｄと、この連結部６０ｄの上下端部の一側から水平方向に延出する互いに平行な一対の弾性アーム部６０ｂ，６０ｂと、各アーム部６０ｂの先端に形成されたピン保持部６０ｃとによって一体に構成され、図１２に示すようにヘアピン状の平面形状を有する。上下のピン保持部６０ｃ，６０ｃはそれぞれ山形に折れ曲がって、両側の斜面がリーダピンＰのフランジ部５ｄの外周面に当接することによりアーム部６０ｂ，６０ｂが撓み変形し、フランジ部５ｄを凹部４５内に押圧係止するようになっているが、上下のピン保持部６０ｃ，６０ｃはその山形の角度を互いに異にしている。すなわち、図１５に示す実施の形態においては、下側のピン保持部６０ｃが上側のピン保持部６０ｃよりも大きく折り曲げられており、その結果、リーダピンＰがカートリッジケース１内に戻されるときに上側のピン保持部６０ｃが下側のピン保持部６０ｃよりも先にフランジ部５ｄに対する係合動作を開始するように構成されている。
【００６４】
なお、ピン係止部材６０の連結部６０ｄおよび取付部６０ａの上端エッジと、上方のアーム部６０ｂの上端エッジとが同一平面上にあり、かつ連結部６０ｄおよび取付部６０ａの下端エッジと、下方のアーム部６０ｂの下端エッジとが同一平面上にあり、ピン係止部材６０の取付部６０ａおよび連結部６０ｄの上下端部によって、このピン係止部材６０をカートリッジケース４に固定する固定部が構成されている。
【００６５】
一方、カートリッジケース４の上下ケース２，３におけるピン係止部材６０の取付部には、図１２および図１３から明らかなように、下ケース３の底壁３ａの上壁面上には２個の円柱状ボス４１，４１が下ケース３の側壁３ｂの内壁面に沿って互いに所定の間隔をおいて突設されている。さらに、ボス４１，４１と下ケース３の側壁３ｂの内壁面との間には、ピン係止部材６０取付部６０ａおよび連結部６０ｄの下端部が嵌着される狭いギャップが設けられ、さらに、奥側のボス４１の奥側に、連結部６０ｄの下端部が嵌着される狭いギャップ４７（図１３）をボス４１との間に形成する凸部４８が設けられている。
【００６６】
これによって、ピン係止部材６０は、図１２に示すように、その取付部６０ａおよび連結部６３ｄの下端部が、ボス３５と下ケース３の側壁３ｂの内壁面との間のギャップ内、およびボス４１と凸部４８との間のギャップ４７内に嵌着された態様で、下ケース３に取り付けられる。
【００６７】
そして、下ケース３の底壁３ａの上壁面のうち、ピン係止部材６０の取付部６０ａおよび連結部６０ｄの下端エッジに対向してこの下端エッジを受ける壁面領域４２ａと、ピン係止部材６０の下側アーム部６０ｂの下端エッジに対向する壁面領域４２ｂ（図１２に多数のドットを付して示してある）との間には、図１３から明らかなように段差が形成され、壁面領域４２ｂが壁面領域４２ａに対して凹形状に形成されている。
【００６８】
したがって、ピン係止部材６０の下側アーム部６０ｂの下端エッジに対向する壁面領域４２ｂと，下側アーム部６０ｂの下端エッジとの間にはギャップが形成され、下側アーム部６０ｂが撓み変形しても、下ケース３の底壁３ａの上壁面に接触する虞れがなくなり、下側アーム部６０ｂの動作が安定し、かつ下ケース３の底壁上面が下側アーム部６０ｂ撓み変形によって削られることも防止することができる。
【００６９】
なお、図示ならびに説明は省略するが、上ケース３におけるピン係止部材６０の取付け部も、図１４に示すように、下ケース３におけるピン係止部材６０の取付け部と対称的な構成を有し、上側アーム部６０ｂが撓み変形しても、上ケース２の頂壁２ａの下壁面に接触するおそれがなくなり、上側アーム部６０ｂの動作が安定し、かつ上ケース２の頂壁の下壁面が上側アーム部６０ｂの撓み変形によって削られることも防止することができる。
【００７０】
上記の構成において、ピン係止部材６０のカートリッジケース４への取付けは、上下ケース２，３の締結に伴って行なうことができ、その組付け性は良好である。また、リーダピンＰの上下端のフランジ部５ｄ，５ｄを１個のピン係止部材６０で保持することができるから、部品点数の低減によりコストダウンが図れる。そして、上下のピン保持部６０ｃ，６０ｃはその山形の角度を互いに異にしていることにより、リーダピンＰがカートリッジケース１内に戻されるときにピン保持部６０ｃ，６０ｃのフランジ部５ｄ，５ｄに対する係合動作が時間差をもって開始されるため、ピン係止部材３０のリーダピンＰ対するスムーズな係合動作が可能になる。
【００７１】
図１６はピン係止部材６０の変形例を示す側面図で、上下の弾性アーム部６０ｂ、６０ｂおよびピン保持部６０ｃ，６０ｃの形状が互いに異なるように形成されている。上下のアーム部６０ｂ、６０ｂの肉厚が互いに異なるように形成されたピン係止部材を用いてもよい。
【００７２】
次の図１７および図１８は、上下別個に形成された捩じりコイル形のピン係止部材７０，７０の平面図を示す。ここで、図１７（ａ）および図１８（ａ）はリーダピンＰの上側フランジ部５ｄを係止するピン係止部材７０Ｕ を示し、図１７（ｂ）および図１８（ｂ）は下側フランジ部５ｄを係止するピン係止部材７０Ｄ を示す。
【００７３】
これらのピン係止部材７０Ｕ，７０Ｄは、コイル部７０ｄと、コイル部７０ｄからそれぞれ延びる取付部７０ａおよびアーム部７０ｂと、アーム部７０ｂの先端のピン保持部７０ｃとが、１本の線バネによって形成されている。そして、図１７においては、上下のピン係止部材７０Ｕ，７０Ｄが互いに径の異なるコイル部７０ｄを備えていることによって、また、図１８においては、上下のピン係止部材７０Ｕ，７０Ｄが互いに形状の異なるピン保持部７０ｃを備えていることによって、バネ特性を異にしている。さらに上下のピン係止部材７０Ｕ，７０Ｄを材質の異なるバネ材で同一形状に形成してもよい。いずれの場合でも、上下のピン係止部材７０Ｕ，７０Ｄのうちのいずれか一方のピン保持部７０ｃが先にリーダピンＰのフランジ部５ｄに対し係合動作を開始するようにすればよい。
【図面の簡単な説明】
【図１】本発明による磁気テープカートリッジの一実施の形態の分解斜視図
【図２】本発明による磁気テープカートリッジが備えているリーダーピンをそれが磁気テープの先端に結合される前の状態で示す斜視図
【図３】図２のリーダーピンと磁気テープとが結合された状態を示す断面図
【図４】リーダーピンの他の実施の形態と磁気テープとが結合された状態を示す断面図
【図５】図１に示す磁気テープカートリッジが備えているピン係止部材の斜視図
【図６】図１の磁気テープカートリッジにおけるスライドドアが開いた状態の開口部近傍の正面図
【図７】図６の開口部近傍を上ケースを除去した状態で示す平面図
【図８】図７のピン収納凹部近傍とその近傍の斜視図
【図９】図７の要部を示す概略的断面図
【図１０】ピン係止部材の弾性アーム部との対向壁面が傾斜面である場合の弾性アーム部の偏位状態の説明に供する図
【図１１】図７とは異なる実施の形態の要部を示す概略的平面図
【図１２】本発明による磁気テープカートリッジの他の実施の形態における板バネからなるピン係止部材の取付け構造を示す下ケースの要部平面図
【図１３】図１２のXIII−XIII線に沿った断面図
【図１４】図１２のXIV−XIV線に沿った断面図
【図１５】図１２のピン係止部材の斜視図
【図１６】ピン係止部材の変形例を示す側面図
【図１７】ピン係止部材のさらに他の実施の形態を示す上下別個の線バネからなるピン係止部材の平面図
【図１８】ピン係止部材のさらに他の実施の形態を示す上下別個の線バネからなるピン係止部材の平面図
【図１９】従来の磁気テープカートリッジが備えているリーダーピンの分解斜視図およびリーダーピンと磁気テープとが結合された状態を示す断面図
【図２０】従来の磁気テープカートリッジにおけるローディング時の開口部近傍の状態を上ケースを除去して示す平面図
【符号の説明】
Ｐ    リーダピン
Ｔ    磁気テープ
１    磁気テープカートリッジ
２    上ケース
３    下ケース
４    カートリッジケース
５    ピン本体
６    クランプ部材
７    リール
９，６０，７０    ピン係止部材
１０    ピン引出し用開口部
２０，４５    ピン収納凹部
３０    垂直壁面
【図１】
0004179443.tif 000002
【図２】
0004179443.tif 000003
【図３】
0004179443.tif 000004
【図４】
0004179443.tif 000005
【図５】
0004179443.tif 000006
【図６】
0004179443.tif 000007
【図７】
0004179443.tif 000008
【図８】
0004179443.tif 000009
【図９】
0004179443.tif 000010
【図１０】
0004179443.tif 000011
【図１１】
0004179443.tif 000012
【図１２】
0004179443.tif 000013
【図１３】
0004179443.tif 000014
【図１４】
0004179443.tif 000015
【図１５】
0004179443.tif 000016
【図１６】
0004179443.tif 000017
【図１７】
0004179443.tif 000018
【図１８】
0004179443.tif 000019
【図１９】
0004179443.tif 000020
【図２０】
0004179443.tif 000021